(57)【特許請求の範囲】
【請求項１】
収納体において用いられる棚板の構造であって、該棚板の手前側端部と奥側端部とには、その長手方向に沿って側断面Ｌ字形の係止片が各々垂設され、上記二つの係止片によって消臭シートが上記棚板の下面側に着脱自在に保持されるものであり、上記棚板の裏面の幅方向に亘って複数個の磁性金属片を固定するとともに、この磁性金属片に磁着するマグネットを対置し、上記消臭シートが磁性金属片とマグネットによって挟まれ磁性保持される棚板構造。
【発明の詳細な説明】
【技術分野】
【０００１】
本発明は、棚板に関する。さらに詳しくは、収納体、例えば、下駄箱等において用いられる棚板の構造に関する。
【背景技術】
【０００２】
従来、玄関収納、下駄箱、洗面収納、キッチンキャビネット、クローゼット等の収納体においては、その収納物によって湿気や臭気が内部にこもりがちとなる。そこで、収納体内の空気浄化のために、脱臭剤、消臭剤、有害物質除去剤等の空気浄化剤や湿気吸着剤、防虫剤、芳香剤等の各種薬剤が充填された箱物を収納体内部の隅に置いたり、薬剤が塗着されたシートを収納体内部の棚板裏面等に貼着することが行われている。しかしながら、薬剤が充填された箱物を収納体内部に置くことは、収納体の収納スペースを減少させるため好ましくなく、また、上記シートを貼着した場合は取り替えが困難という問題がある。
【０００３】
上記問題を解決するため、下記特許文献１には、棚板の長手方向に延長する中空孔の少なくとも一端が棚板木口面において開口しており、該中空孔には薬剤充填物が該開口端より交換可能に充填されており、かつ、棚板の裏面には該中空孔と連通する裏面側通気口が設けられた棚板が提案されている。
【特許文献１】特開２００３−１１６６５２号公報（第１〜４頁、第１図、第３図、第４図）
【発明の開示】
【発明が解決しようとする課題】
【０００４】
上記特許文献１に記載の技術は、棚板内の中空孔や開口溝等に収容された消臭作用や湿気吸着作用を有する充填物から放散される薬剤成分が収納体内の全般に行き渡るので、その作用を有効に発揮させることができるものの、充填物が劣化したとき、交換作業が困難であり、とくに棚板の中央部付近での交換は手間が掛かるという問題がある。本発明はこのような問題を解決して、消臭剤を含有する消臭シートの交換が容易であり、かつ、消臭剤成分が十分に放散してその効果を発揮することのできる棚板を提供することをその課題とする。
【課題を解決するための手段】
【０００５】
上記課題を解決するために、本発明においては、つぎのような技術的手段を講じている。すなわち、請求項１に記載の本発明によれば、収納体において用いられる棚板の構造であって、該棚板の手前側端部と奥側端部とには、その長手方向に沿って側断面Ｌ字形の係止片が各々垂設され、上記二つの係止片によって消臭シートが上記棚板の下面側に着脱自在に保持される棚板構造が提供される。
【０００６】
上記収納体としては、玄関収納、下駄箱、洗面収納、キッチンキャビネット、クローゼット等をあげることができるが、とくに下駄箱に好ましく適用される。また、消臭シートとしては、とくに限定されず、椰子殻活性炭、備長炭、竹炭、珪藻土等の悪臭成分を吸着する成分をプラスチック等、腰のある支持体に担持させたもの、あるいは、紙や不織布等、腰のない紙綿状の支持体と複合させたもの等を用いることができる。
【０００７】
更に、本発明にあっては、上記に加えて、上記棚板の裏面の幅方向に亘って複数個の磁性金属片を固定するとともに、この磁性金属片に磁着するマグネットを対置し、上記消臭シートが磁性金属片とマグネットによって挟まれ磁性保持される。上記磁性金属片としては鉄板が好ましく用いられ、また、マグネットとしては、通常の磁石、プラスチック磁石等が用いられる。
【発明の効果】
【００１０】
本発明にかかる棚板構造は上記のとおりであり、該棚板の手前側端部と奥側端部とには、その長手方向に沿って側断面Ｌ字形の係止片が各々垂設され、上記二つの係止片によって消臭シートが上記棚板の下面側に着脱自在に保持されるため、消臭シートが劣化した場合等、消臭シートの交換を容易に行うことができる。また、手前側端部に垂設された係止片は前垂れ部としても機能し、消臭シートを目隠しして棚板正面の見栄えをよくすることができる。
【００１１】
更に、本発明の棚板構造にあっては、上記の効果に加え、上記棚板の裏面の幅方向に亘って複数個の磁性金属片が固定されるとともに、マグネットが対置されているため、消臭シートが上記磁性金属片とマグネットに挟まれ、数カ所で押止されることにより、消臭シートが紙綿状で腰がない場合でも、着脱自在にしっかりと磁性保持することができる。
【発明を実施するための最良の形態】
【００１４】
以下、収納体を下駄箱とした場合の本発明の実施形態について、図面を参照して、詳細に説明する。図１は、本発明にかかる棚板構造Ａの基本構造を下面側から見た状態を示す分解斜視図である。棚板１は、その左右端部の下面にダボ凹み１１を有し、２つのダボ凹み１１は下駄箱の左右側板の内側に突設された図示しない２本のダボに受けられる。
【００１５】
図１に示されるように、棚板１の手前側端部にはその長手方向に沿って側断面Ｌ字形の手前側係止片２が垂設され、同様に、奥側端部にはその長手方向に沿って側断面Ｌ字形の奥側係止片３が垂設されている。消臭シート９は、上記手前側係止片２と奥側係止片３とによって保持される。すなわち、図２に示すように、消臭シート９の幅方向の端部を矢印Ｘで示す方向に嵌入して手前側係止片２の水平支持片２１上に載置し、ついで矢印Ｙで示す方向に押して消臭シート９の幅方向の他の端部を奥側係止片３の水平支持片３１上に載置する。このようにすることによって、消臭シート９を棚板１の下面側に着脱自在に保持することができる。
【００１６】
図３は、上記棚板構造Ａの実施形態の全体構造であり、棚板１の裏面には適当な間隔で複数の磁性金属片、例えば鉄板４１が固定され、この鉄板４１に磁着するマグネット４２が対置される。消臭シート９が紙綿状で腰がなく、上記手前側係止片２と奥側係止片３とによって保持することが困難である場合、上記鉄板４１とマグネット４２の間に消臭シート９を挟んで数カ所で押止することにより、着脱自在に磁性保持することができる。
【００１７】
図４は、参考例である棚板構造Ｂを下面側から見た状態を示す分解斜視図である。図４に示されているように、棚板５は、その手前側端部に前垂れ部６が着脱自在に装着され、棚板５の左右端部側裏面には消臭シート９の左右端部を係止する断面略コ字形の受け桟７１、７２が設けられている。また、左受け桟７１と右受け桟７２の間には複数本の弾性線状支持体８として、例えば、ピアノ線が用いられその端部８１が固定された状態で張設される。
【００１８】
図５は、棚板５の手前側端部に前垂れ部６を着脱自在に装着する方法を示す説明図である。図５に示されているように、前垂れ部６には係合凸部６１が突設されるとともに、棚板５の手前側端部には上記係合凸部６１に係合する係合凹部５１が延設され、上記係合凸部６１を係合凹部５１に嵌合することにより、前垂れ部６を棚板５の手前側端部に着脱自在に装着することができる。
【００１９】
図６は、上記棚板構造Ｂを用いて消臭シート９を保持した状態を示す側断面図である。図６に示されているように、消臭シート９が紙綿状で腰がない場合でも、左受け桟７１と右受け桟７２の間に張設された複数本の弾性線状支持体８が上記消臭シート９をしっかりと保持することが明らかである。
【００２０】
図７は、上記棚板構造Ｂの変形例の構成を示す斜視図である。図７に示す形態においては、図４に示す棚板構造Ｂにおいて用いられた左受け桟７１と右受け桟７２とは省略され、弾性線状支持体８の端部８１は棚板５の左右端部側裏面に直接固定されている。このようにすることによって、消臭シート９は複数本の弾性線状支持体８によって上記棚板の下面側に着脱自在に、かつ、しっかりと保持される。以上述べたように、本発明は種々設計変更可能であり、特許請求の範囲を逸脱しない限り、何れも本発明の技術的範囲に属する。
【図面の簡単な説明】
【００２１】
【図１】本発明にかかる棚板構造の基本構造を下面側から見た状態を示す分解斜視図である。
【図２】本発明にかかる棚板の下面側に消臭シートを着脱自在に保持する方法を示す説明図である。
【図３】本発明にかかる棚板構造の全体構造を示す分解斜視図である。
【図４】参考例である棚板構造を下面側から見た状態を示す分解斜視図である。
【図５】参考例にかかる棚板の手前側端部に前垂れ部を着脱自在に装着する方法を示す説明図である。
【図６】参考例である棚板構造を用いて消臭シートを保持した状態を示す側断面図である。
【図７】参考例である棚板構造の変形例の構成を示す斜視図である。
【符号の説明】
【００２２】
Ａ            本発明にかかる棚板構造
１            棚板
１１          ダボ凹み
２            手前側係止片
２１          水平支持片
３            奥側係止片
３１          水平支持片
４１          鉄板
４２          マグネット
Ｂ            参考例である棚板構造
５            棚板
５１          係合凹部
６            前垂れ部
６１          係合凸部
７１          左受け桟
７２          右受け桟
８            弾性線状支持体
８１          端部
９            消臭シート
【図１】
0004548282.tif 000002
【図２】
0004548282.tif 000003
【図３】
0004548282.tif 000004
【図４】
0004548282.tif 000005
【図５】
0004548282.tif 000006
【図６】
0004548282.tif 000007
【図７】
0004548282.tif 000008